(57)【特許請求の範囲】
【請求項１】
氷塊、冷水、温水等の熱媒体（４）を収容した容器（３）と、前記熱媒体（４）の熱を熱変色玩具（７）に伝える伝熱部材（５）とからなる熱変色玩具用伝熱装置（２）であって、前記伝熱部材（５）が、その上面に熱変色玩具（７）を載せる載置部（５１）と、該載置部（５１）から下方に連設され且つ熱媒体（４）と共に容器（３）内に収容された脚部（５２）とを備えた縦断面形状が「コ」字状である熱変色玩具用伝熱装置（２）。
【請求項２】
容器（３）が、熱媒体（４）及び伝熱部材（５）の出し入れ可能な開口部（３１）を上部に備え、該開口部（３１）に、載置部（５１）を外部に露出する孔（６１）を備えた蓋部材（６）を装着した請求項１記載の熱変色玩具用伝熱装置（２）。
【請求項３】
容器（３）が、熱媒体（４）及び伝熱部材（５）の出し入れ可能な開口部（３１）を上部に備え、該開口部（３１）に、載置部（５１）が外部に露出するように脚部（５２）を通すスリット（６２）を備えた蓋部材（６）を装着した請求項１記載の熱変色玩具用伝熱装置（２）。
【請求項４】
前記請求項１〜３のいずれかひとつに記載の伝熱装置（２）と熱変色玩具（７）からなる熱変色玩具セット（１）であって、前記熱変色玩具（７）が、変色部（７１）と、該変色部（７１）へ載置部（５１）から熱伝導させる伝熱部（７２）とを備えてなる熱変色玩具セット（１）。
【発明の詳細な説明】
【０００１】
【発明の属する技術分野】
本発明は、熱変色玩具用伝熱装置及びそれを用いた熱変色玩具セットに関する。
【０００２】
【従来の技術】
従来、熱変色玩具を変色させる装置として、例えば、実開平５−４４１９６号公報には、熱媒体を収容させた容器の金属材料面に、スタンプ部材（熱変色玩具）を載せるための載置部を設けた構成が開示されている。
【０００３】
【発明が解決しようとする課題】
前記従来の装置は、実際には、容器全体が金属材料よりなる構成であるため、熱媒体の熱が容器壁面より外部に放出されやすく、即ち、熱損失が大きく、熱媒体の熱を載置部へ効率よく伝えられない。そのため、熱変色玩具を熱変色させるのに十分な熱を得るには多量の熱媒体が必要であり、装置自体のサイズを大きくさせていた。
【０００４】
さらに、容器が金属製であるため、製造コストが高く、安価に提供することが困難であり、また、外観形状を自由に設定できず、玩具として不十分であった。
【０００５】
本発明は前記従来の課題を解決するものであって、伝熱効率を向上させ、装置自体のサイズを小さくでき、且つ簡易な構造で安価な熱変色玩具用伝熱装置を提供しようとするものである。また、前記伝熱装置を用いたコンパクトで安価な熱変色玩具セットを提供しようとするものである。尚、本発明で「熱」とは、冷熱を含めた総称である。
【０００６】
【課題を解決するための手段】
（伝熱装置）
本発明は、氷塊４１、冷水４２、温水等の熱媒体４を収容した容器３と、前記熱媒体４の熱を熱変色玩具７に伝える伝熱部材５とからなる熱変色玩具用伝熱装置２であって、前記伝熱部材５が、その上面に熱変色玩具７を載せる載置部５１と、該載置部５１から下方に連設され且つ熱媒体４と共に容器３内に収容される脚部５２とを備えた縦断面形状が「コ」字状である熱変色玩具用伝熱装置２（請求項１）を要旨とする。
【０００７】
前記伝熱部材５の脚部５２が、容器３内に熱媒体４と共に収容されているため、外気の影響を受けず、熱媒体４の熱が脚部５２から載置部５１へ効率よく伝えられる。即ち、伝熱効率が向上し、少量の熱媒体４でも十分な伝熱性能（即ち、熱変色玩具７を熱変色させる十分な熱変色性能）を示し、その結果、伝熱装置２自体をコンパクトにできる。
【０００８】
（材質）
また、前記請求項１の伝熱装置２において、容器３が合成樹脂製であり、伝熱部材５が金属製であることが好ましい。即ち、金属（一般に熱伝導性の高い）による伝熱部材５は、優れた伝熱性能を有することは勿論、前記合成樹脂製の容器３は、金属製のものに比べ熱伝導性が低いため、容器３内の熱媒体４の熱放出が抑えられ、その上、ユーザーが使用時、直接、熱を帯びた伝熱面に触れることがないため、伝熱装置２の高い伝熱効率が維持される。さらに、容器３を合成樹脂により形成するため、様々な目的に応じた外観形状を自由に設定することが可能であり、玩具として最適である。
【０００９】
（伝熱部材）
また、前記請求項１または２における伝熱部材５は、載置部５１と脚部５２とを別体に構成し、両者を熱伝導可能に接続させた構成でもよいが、載置部５１と脚部５２とを一体に形成した構成が、製造の容易な点で好ましい。前記載置部５１と脚部５２とを一体に形成した伝熱部材５を得る方法として、例えば、折り曲げ加工、プレス加工等の塑性加工、ダイカスト、切削加工等、挙げることができる。その中でも、製造コストの安価な塑性加工が好ましい。
【００１０】
前記伝熱部材５は、塑性加工の場合（即ち、金属板片を折り曲げ加工する場合）、その縦断面形状は「コ」字状（図２、図３参照）に形成される。前記伝熱部材５は、「コ」字状が、容器３内に多量の熱媒体４（特に氷塊４１や蓄熱剤ブロック等の固形熱媒体）を収容可能であること、及び伝熱性及び生産性の面で優れていることから、最も実用的である。また、前記伝熱部材５は、脚部５２を筒状にして全体を有底筒体状にすることもできる。
【００１１】
（脚部）
前記脚部５２は、容器３内に収容され、熱媒体４と接触し、該熱媒体４の熱を得て、載置部５１へ伝熱する部分であるが、前記伝熱機能に加えて、前記脚部５２下端が、容器３底面と当接し、載置部５１を、容器３の開口部３１に位置させるよう支持してなる構成であってもよい（図２、図７、図９参照）。また、それとは逆に、蓋部材６等を介して脚部５２下端を容器３底面から上方に浮かせて容器３内に収容配置させる構成（図１０参照）でもよい。
【００１２】
（載置部）
また、載置部５１の表面に小孔５１ａや凹凸５１ｂを形成することもできる（図４、図５参照）。それにより、前記載置部５１の表面温度を部分的に異ならせて不均一な熱変色性を意図的に発現させたり、熱変色玩具７の変色部７１の載置部５１との当接面に、孔模様や凹凸模様を形成することができる。
【００１３】
また、前記載置部５１は、容器３の開口部３１より少なくとも一部が外部に露出している。そして、適宜形状の孔６１を有する蓋部材６を、前記容器３の開口部３１に装着し、そして、前記蓋部材６によって前記載置部５１上面を覆った場合、前記孔６１により載置部５１の露出形状を適宜設定することができる（図１、図６参照）。
【００１４】
また、前記載置部５１の下面（載置面の裏面）は、容器３内の熱媒体４と非接触状態（図２、図７、図１０参照）であってもよいし、容器３内の熱媒体４と接触状態（図９参照）のどちらであってもよい。
【００１５】
（容器）
また、前記伝熱装置２において、容器３上部に、熱媒体４及び伝熱部材５の出し入れ可能な開口部３１を備えることが好ましい。それにより、載置部５１の下方の熱媒体４を取り出す際、伝熱部材５を取り外すことが容易であるため、熱媒体４の交換作業が楽である。また、開口部３１が容器３上部に設けられているため、熱媒体４の漏出を防止するための厳重な密封構造が不要であり、シンプルな構造にすることができる。
【００１６】
容器３の開口部３１には、蓋部材６を装着することが好ましい。それにより、開口部３１からの熱媒体４の放熱を抑えると共に、伝熱部材５の一部を隠して玩具形象としての見栄えを向上させたり、蓋部材６の形状を適宜設定することによって模擬形象を自由に表現することができる。
【００１７】
前記容器３は、人形と共に遊ぶ玩具の外観を有する場合、そのサイズは、人形サイズ（例えば、身長１０ｃｍ〜５０ｃｍ）に合わせ、容器の最大外径は、１ｃｍ〜１０ｃｍ程度にコンパクトにすることが可能である。
【００１８】
（熱変色玩具セット）
さらに、本発明は、熱変色玩具７と、該熱変色玩具７を熱変色させる前記請求項１〜３のいずれかひとつに記載の伝熱装置２とからなる熱変色玩具セット１であり、前記熱変色玩具７が、変色部７１と該変色部７１へ載置部５１からの熱を伝導させる伝熱部７２とからなること（請求項４）が好ましい。それにより、十分な熱変色性能を有するコンパクトで安価な熱変色玩具セット１を提供できる。
【００１９】
前記熱変色玩具７の伝熱部７２は、伝熱装置２の載置部５１と接離自在である。また、前記伝熱部７２と変色部７１とは、図１や図６に示すように固着または一体的に設けてもよいし、図８に示すように接離自在としてもよい。
【００２０】
前記熱変色玩具セット１の外観は、例えば、調理玩具セットの場合（図１参照）、前記熱変色玩具７を模擬料理とし、前記伝熱装置２を模擬調理器とし、また、インテリア玩具の場合（図６参照）、前記熱変色玩具７を花を有する花瓶の形象とし、前記伝熱装置２をテーブルの形象とし、あるいはペンキ塗り遊び玩具の場合（図８参照）、前記熱変色玩具７を被塗布体とそれを塗装する塗布具の形象とし、前記伝熱装置２を塗布液容器の形象としたもの等を挙げることができる。
【００２１】
【発明の実施の形態】
本発明の実施の形態を図面に従って説明する。
【００２２】
Ａ．第１実施例
本発明の第１実施例を図１、図２及び図３に示す。本実施例は、熱変色玩具セット１が、調理玩具セットの例であり、熱変色玩具７の外観が模擬料理（ここでは、ピザまたはお好み焼き）、伝熱装置２の外観が模擬調理器（ここでは、鉄板焼き器）である。前記模擬料理の例としては、この他にも、ハンバーグ、目玉焼き、パン等を挙げることができ、また、前記模擬調理器の例としては、この他にも、コンロ、レンジ、網焼き器、オーブン、電子レンジ等を挙げることができる。図１において、伝熱装置２上に載置された熱変色玩具７は、変色部７１が熱変色をしており、伝熱装置２上に載置されていない熱変色玩具７は熱変色していない。
【００２３】
（伝熱装置）
前記伝熱装置２は、内部に熱媒体４を収容した容器３と、該容器３内に収容された伝熱部材５と、該容器３の開口部３１に装着される蓋部材６とからなる。前記伝熱装置２の具体的なサイズは、縦５ｃｍ、横５ｃｍ、高さ３ｃｍである。
【００２４】
前記容器３は、合成樹脂の射出成形よりなる箱体であり、上部に方形状の開口部３１を備える。前記容器３内には、氷塊４１及び冷水４２が収容されている。
【００２５】
前記蓋部材６の中央には円形状の孔６１が開口されている。前記蓋部材６を、容器３の開口部３１に装着し載置部５１の上面を覆うことにより、前記載置部５１を外部上方へ円形状に露出させている。
【００２６】
前記伝熱部材５は、方形状のアルミニウム薄板（板厚：約１ｍｍ）の二箇所を、垂直に折り曲げ加工して得られる。即ち、前記伝熱部材５は、一つの載置部５１（天面部）と該載置部５１の両端部から垂直に延設される二つの脚部５２（対向する側面部）とからなり、その縦断面形状は、前記載置部５１と両脚部５２の３面により「コ」字状に形成されている。
【００２７】
前記伝熱部材５は、容器３内に収容配置させた際、脚部５２の下端が容器３底面に当接し、前記載置部５１が容器３の開口部３１に配置されている。前記脚部５２内面と脚部５２内面の間、及び容器３内面と脚部５２外面との間には、熱媒体４の収容空間が設けられている。特に、脚部５２内面と脚部５２内面の間には、前記収容区間が大きく設けられ、そこに氷塊４１が配置されている。前記脚部５２には、その内面及び外面の両側面に熱媒体４（氷塊４１、冷水４２）が接触しているため、脚部５２に熱媒体４の熱が効率よく伝達され、脚部５２の伝熱効率をより一層、高めることができる。
【００２８】
（熱変色玩具）
本体の外観がピザを模した円板状の合成樹脂成形体（外径３０ｍｍ）であり、その本体表面（即ち本体全周面）には、熱変色材料によって彩色された変色部７１（冷却前は白色、冷却後は焦げ茶色を呈すもの）が設けられる。前記本体は、厚肉中空体または中実体であり、伝熱部材５の載置部５１からの熱を、熱変色玩具７の変色部７１へ伝える、伝熱部７２となっている。前記本体（伝熱部７２）が合成樹脂製の厚肉中空体または中実体であるため、載置部５１に本体を載せたとき、瞬時に変色してしまったり、なかなか変色しなかったりすることがなく、適度な伝熱性を有し、変色過程（ピザの焼き上がる過程）を視覚的に楽しむことができる。また、本体の表面は凹凸があり肉厚変動があるため、本体下面から上面への伝熱スピードが僅かに異なるため、熱変色材料によって均一に彩色されていたとしても、変色にばらつき（ムラ）があり、よりリアルな焦げた色を表現することができる。
【００２９】
Ｂ．伝熱部材の変形例
図４及び図５に、伝熱部材５の他の実施例を示す。本実施例の伝熱部材５は、基本的には、金属薄板を「コ」字形状に折り曲げ加工し、載置部５１と脚部５２を一体に接続した第１実施例同様のものである。
【００３０】
図４の伝熱部材５は、載置部５１に複数の小孔５１ａを貫設し、それにより、熱変色玩具７の変色部７１を、前記小孔５１ａの形状に対応した模様（編み目模様）に熱変色させることできる。
【００３１】
図５の伝熱部材５は、載置部５１の上面に複数の凹凸条５１ｂを一体または別部材の取り付けにより設け、それにより、前記載置部５１と当接する熱変色玩具７の変色部７１に、ストライプ模様を付けることができる。
【００３２】
Ｃ．第２実施例
本発明の第２実施例を図６及び図７に示す。本実施例は、熱変色玩具セット１が、インテリア玩具セットの例であり、熱変色玩具７の外観が花瓶を模した形状であり、伝熱装置２の外観が前記花瓶を載せるテーブルを模した形状である。図６において、伝熱装置２上に載置された熱変色玩具７は、変色部７１が熱変色をしており、伝熱装置２上に載置されていない熱変色玩具７は熱変色していない。
【００３３】
（伝熱装置）
前記伝熱装置２は、第１実施例同様、内部に氷塊４１及び冷水４２よりなる熱媒体４を収容し上部に開口部３１を有する容器３と、該容器３内に収容され、載置部５１と脚部５２とを備えた伝熱部材５と、該容器３の開口部３１に装着される蓋部材６とからなる。
【００３４】
前記容器３は、合成樹脂の射出成形よりなる箱体であり、上部に方形状の開口部３１を備え、下部に支持脚部３２を備える。
【００３５】
また、第１実施例同様、前記蓋部材６の中央には円形状の孔６１が開口され、前記蓋部材６を、容器３の開口部３１に装着し載置部５１の上面を覆うと、それにより、該載置部５１を円形状に露出させている。
【００３６】
前記伝熱部材５は、第１実施例同様、方形状のアルミニウム薄板（板厚：約１ｍｍ）の二箇所を、縦断面「コ」字状に折り曲げ加工して得られる。
【００３７】
尚、他の構成及び作用効果は第１実施例同様である。
【００３８】
（熱変色玩具）
熱変色玩具７は、花を備えた花瓶を模した外観形状である。即ち、前記熱変色玩具７は、花びらを模した変色部７１と、該変色部７１を備えた花の茎を模した伝熱部７２と、前記伝熱部７２を覆う花瓶を模したカバー部材７３とからなる。
【００３９】
前記花びら形状の変色部７１は、繊維材料に熱変色材料を塗布した構成であり、前記茎形状の伝熱部７２の先端に固着されている。前記伝熱部７２は、金属製棒状部７２ｂと金属製平板部７２ａとが接続された部材であり、前記棒状部７２ｂの周囲はカバー部材７３が配設され、前記平板部７２ａはカバー部材７３の下端より露出し熱変色玩具７を支持している。
【００４０】
伝熱装置２の載置部５１上面に熱変色玩具７を載せたとき、前記平板部７２ａが載置部５１と接触し、熱媒体４の熱が棒状部７２ｂへ伝えられ、そして、前記棒状部７２ｂ先端の変色部７１（花びら）が熱変色する。前記棒状部７２ｂの長さにより、熱変色玩具７を載置部５１に載せてから変色部７１が熱変色するまでの時間を調節することができる。
【００４１】
Ｄ．第３実施例
本発明の第３実施例を図８及び図９に示す。本実施例は、熱変色玩具セット１が、ペンキ塗り遊び玩具の例であり、熱変色玩具７の外観が犬小屋とそれを塗装するためのペンキ塗布具を模した形状であり、伝熱装置２の外観が前記ペンキ塗布具と接触可能なペンキ容器を模した形状である。
【００４２】
（伝熱装置）
前記伝熱装置２は、第１、第２実施例同様、内部に氷塊４１及び冷水４２よりなる熱媒体４を収容し上部に開口部３１を有する容器３と、該容器３内に収容され、載置部５１と脚部５２とを備えた伝熱部材５と、該容器３の開口部３１に装着される蓋部材６とからなる。
【００４３】
前記容器３は、合成樹脂の射出成形よりなる箱体であり、上部に方形状の開口部３１を備える。また、前記蓋部材６は方形枠体であり、載置部５１と同形状の方形状の孔６１が開口されている。前記蓋部材６を、容器３の開口部３１に装着すると、載置部５１周囲を蓋部材６によって保持され、容器３内での蓋部材６の左右方向のガタを防ぐことができる。
【００４４】
前記伝熱部材５は、第１、第２実施例同様、方形状のアルミニウム薄板（板厚：約１ｍｍ）の二箇所を垂直に折り曲げ加工し、縦断面「コ」字状に形成されている。
【００４５】
尚、他の構成及び作用効果は第１、第２実施例と同様である。
【００４６】
（熱変色玩具）
熱変色玩具７は、外観がペンキ塗布具を模した伝熱部７２と、犬小屋を模した変色部７１とからなる。前記伝熱部７２は、金属（例えばアルミニウム）よりなる平板部に把手が固着されたものである。前記伝熱部７２を、前記伝熱装置２の載置部５１に接触させると、熱媒体４からの熱がその伝熱部７２で一時的に蓄熱される。そして、前記伝熱部７２を、熱変色材料が設けられた犬小屋の屋根（変色部７１）に接触させると伝熱部７２の塗布操作に応じた熱変色像が得られる。尚、前記伝熱部７２は、適宜な蓄熱性を備えるためには、ある程度の肉厚が必要である。ここでは、縦１５ｍｍ、横１５ｍｍ、板厚３ｍｍである。
【００４７】
Ｅ．第４実施例
本発明の第４実施例を図１０に示す。これは、伝熱装置２の変形例であり、伝熱部材５が蓋部材６に固着されている。即ち、伝熱部材５の載置部５１を蓋部材６上面に露出させ、脚部５２を、蓋部材６のスリット６２を通して蓋部材６の下面より突出させている。それにより、蓋部材６と伝熱部材５が一体化され、熱媒体４の交換の際、蓋部材６の着脱操作と同時に熱媒体４を着脱することができ、熱媒体４の交換作業を容易にする。
【００４８】
尚、他の構成及び作用効果は第１、第２、第３実施例と同様である。
【００４９】
【発明の効果】
本発明・熱変色玩具用伝熱装置は、請求項１の構成により、伝熱効率を向上させ、装置自体のサイズを小さくでき、簡易構造で安価に提供できる。
【００５０】
【００５１】
【００５２】
また、容器上部に、熱媒体及び伝熱部材の出し入れ可能な開口部を備えることにより、熱媒体を取り出す際、伝熱部材を取り外すことが容易であるため、熱媒体の交換作業が楽である。また、開口部が容器上部に設けられているため、熱媒体の漏出を防止するための厳重な密封構造が不要であり、シンプルな構造にすることができる。
【００５３】
請求項４の構成により、十分な熱変色性能を有するコンパクトな熱変色玩具セットを安価に提供できる。
【００５４】
【図面の簡単な説明】
【図１】  本発明の第１実施例を示す斜視図である。
【図２】  図１の縦断面図である。
【図３】  図１の伝熱部材を示す斜視図である。
【図４】  伝熱部材の他の例を示す斜視図である。
【図５】  伝熱部材の他の例を示す斜視図である。
【図６】  本発明の第２実施例を示す斜視図である。
【図７】  図６の縦断面図である。
【図８】  本発明の第３実施例を示す斜視図である。
【図９】  図８の縦断面図である。
【図１０】  本発明の第４実施例の縦断面図である。
【符号の説明】
１  熱変色玩具セット
２  伝熱装置
３  容器
３１  開口部
３２  支持脚部
４  熱媒体
４１  氷塊
４２  冷水
５  伝熱部材
５１  載置部
５１ａ  小孔
５１ｂ  凹凸条
５２  脚部
６  蓋部材
６１  孔
６２  スリット
７  熱変色玩具
７１  変色部
７２  伝熱部
７２ａ  平板部
７２ｂ  棒状部
７３  カバー部材
【図１】
0003807522.tif 000002
【図２】
0003807522.tif 000003
【図３】
0003807522.tif 000004
【図４】
0003807522.tif 000005
【図５】
0003807522.tif 000006
【図６】
0003807522.tif 000007
【図７】
0003807522.tif 000008
【図８】
0003807522.tif 000009
【図９】
0003807522.tif 000010
【図１０】
0003807522.tif 000011